【手続補正書】
【提出日】平成19年5月16日(2007.5.16)
【手続補正１】
【補正対象書類名】明細書
【補正対象項目名】特許請求の範囲
【補正方法】変更
【補正の内容】
【特許請求の範囲】
【請求項１】  情報信号の第１の部分を受信し、第１のインターリーブフォーマットにしたがって前記情報信号の第１の部分のシンボルを再度順序付けて前記第１のインターリーブされた信号を与える第１のインターリーバ手段と、
前記第１のインターリーブされた信号を受信し、それを第１の送信チャンネルで送信する第１の送信サブシステムと、
前記情報信号の第２の部分を受信し、第２のインターリーブフォーマットにしたがって前記情報信号の第２の部分のシンボルを再度順序付け、第２のインターリーブされた信号を与える第２のインターリーバ手段と、
前記第２のインターリーブされた信号を受信し、それを第２の送信チャンネルで送信する第２の送信サブシステムと、
前記第２のインターリーブされた信号を受信し、前記第２の送信サブシステムを通って送信する前に、前記第２のインターリーブされた信号からのシンボルをシャッフルするシャッフル装置とを具備している情報信号送信用装置。
【請求項２】  前記情報信号を受信し、それを前記第１の部分と前記第２の部分とに分割し、前記第１の部分を前記第１のインターリーバへ与え、前記第２の部分を前記第２のインターリーバへ与えるデマルチプレクサをさらに具備している請求項１記載の装置。
【請求項３】  前記デマルチプレクサは、それぞれの奇数のシンボルを前記第１の部分へ配置し、それぞれの偶数のシンボルを前記第２の部分へ配置することによって前記情報信号を分割する請求項２記載の装置。
【請求項４】  １セットのビットを受信し、予め定められた順方向エラー補正フォーマットにしたがって符号化し、前記情報信号を与える順方向エラー補正モジュールをさらに具備している請求項２記載の装置。
【請求項５】  前記順方向エラー補正フォーマットはコンボリューション符号化フォーマットである請求項４記載の装置。
【請求項６】  前記順方向エラー補正フォーマットはターボコード化フォーマットである請求項４記載の装置。
【請求項７】  前記第１のインターリーブフォーマットと前記第２のインターリーブフォーマットはブロックインターリーブフォーマットである請求項１記載の装置。
【請求項８】  前記第１のインターリーブフォーマットと前記第２のインターリーブフォーマットはビット反転インターリーブである請求項１記載の装置。
【請求項９】  前記第１のインターリーブフォーマットはブロックインターリーブフォーマットであり、前記第２のインターリーブフォーマットはビット反転インターリーブである請求項１記載の装置。
【請求項１０】  前記第１のインターリーブフォーマットと前記第２のインターリーブフォーマットは同じである請求項１記載の装置。
【請求項１１】  情報信号の第１の部分を受信し、第１のインターリーブフォーマットにしたがって前記情報信号の第１の部分のシンボルを再度順序付けて前記第１のインターリーブされた信号を与える第１のインターリーバ手段と、
前記第１のインターリーブされた信号を受信し、それを第１の送信チャンネルで送信する第１の送信サブシステムと、
前記情報信号の第２の部分を受信し、第２のインターリーブフォーマットにしたがって前記情報信号の第２の部分のシンボルを再度順序付け、第２のインターリーブされた信号を与える第２のインターリーバ手段と、
前記第２のインターリーブされた信号を受信し、それを第２の送信チャンネルで送信する第２の送信サブシステムを具備し、
前記第２のインターリーバ手段は、予め定められたインターリーバフォーマットにしたがってシンボルを再度順序付けて予めシャッフルされた信号を与えるインターリーバサブシステムと、前記予めシャッフルされた信号を受信し、前記予めシャッフルされた信号からのシンボルをシャッフルして前記第２のインターリーブされた信号を生成するシャッフル装置とを具備している情報信号送信用装置。
【請求項１２】  前記シャッフル装置は予め定められた数のシンボルのセットを周期的に回転することによりシャッフルを行う請求項１１記載の装置。
【請求項１３】  前記予め定められた数は４である請求項１２記載の装置。
【請求項１４】  前記シャッフル装置は前記４つのシンボルのセットを２シンボルにより回転する請求項１３記載の装置。
【請求項１５】  前記シャッフル装置は予め定められた数のシンボルのセットをフリップすることによりシャッフルを行う請求項１記載の装置。
【請求項１６】  前記予め定められた数は４である請求項１６記載の装置。
【請求項１７】  前記第１の送信サブシステムは、第１のウォルシュ関数にしたがって前記第１のインターリーブされた信号を拡散することによって前記第１のインターリーブされた信号を第１の送信チャンネルで送信し、第１のウォルシュコード化された信号を発生し、
前記第２の送信サブシステムは、第２のウォルシュ関数にしたがって前記第２のインターリーブされた信号を拡散することによって前記第２のインターリーブされた信号を第２の送信チャンネルで送信し、第２のウォルシュコード化された信号を発生する請求項１記載の装置。
【請求項１８】  前記第１のウォルシュ関数は前記第２のウォルシュ関数と同一である請求項１７記載の装置。
【請求項１９】  前記第１のウォルシュ関数は前記第２のウォルシュ関数と直交している請求項１７記載の装置。
【請求項２０】  前記第１の送信サブシステムと前記第２の送信サブシステムは時間および位相が同期されている請求項１９記載の装置。
【請求項２１】  前記第１の送信サブシステムはさらに前記第１のウォルシュコード化信号を受信して、第１の疑似雑音（ＰＮ）関数にしたがって前記第１のウォルシュコード化された信号を拡散して第１のＰＮ拡散信号を与える第１のＰＮスプレッダをさらに具備し、前記第２の送信サブシステムは前記第２のウォルシュコード化信号を受信して第２の疑似雑音（ＰＮ）関数にしたがって前記第２のウォルシュコード化された信号を拡散して第２のＰＮ拡散信号を与える第２のＰＮスプレッダをさらに具備している請求項１７記載の装置。
【請求項２２】  前記第１のＰＮスプレッダと前記第２のＰＮスプレッダは直角ＰＮ拡散を使用する請求項２１記載の装置。
【請求項２３】  前記第１のＰＮスプレッダと前記第２のＰＮスプレッダは複素数ＰＮ拡散を使用する請求項２４記載の装置。
【請求項２４】  前記第２の送信サブシステムは前記第２のＰＮ拡散信号を受信し、遅延されたＰＮ拡散信号を発生する遅延エレメントをさらに具備している請求項２１記載の装置。
【請求項２５】  前記第１の送信サブシステムは、第１の周波数に上方変換し、前記第１のＰＮ拡散信号を増幅し、第１の送信信号を発生するための第１の送信機をさらに具備し、前記第２の送信サブシステムは、第２の周波数に上方変換し、前記遅延されたＰＮ拡散信号を増幅し、第２の送信信号を生成するための第２の送信機をさらに具備している請求項２４記載の装置。
【請求項２６】  前記第１の送信機はアンテナを介して前記第１の送信信号を送信し、前記第２の送信機は前記アンテナを介して前記第２の送信信号を送信する請求項２５記載の装置。
【請求項２７】  前記第１の送信機は第１のアンテナによって前記第１の送信信号を送信し、前記第２の送信機は前記第２のアンテナによって前記第２の送信信号を送信する請求項２５記載の装置。
【請求項２８】  前記第１の周波数は前記第２の周波数に等しい請求項２７記載の装置。
【請求項２９】  前記第１の周波数は前記第２の周波数よりも大きい請求項２７記載の装置。
【請求項３０】  前記第１の送信サブシステムは、第１の周波数に上方変換し、前記第１のＰＮ拡散信号を増幅し、第１の送信信号を発生するための第１の送信機をさらに具備し、前記第２の送信サブシステムは、第２の周波数に上方変換し、前記第２のＰＮ拡散信号を増幅し、第２の送信信号を発生するための第２の送信機をさらに具備している請求項２１記載の装置。
【請求項３１】  前記第１の送信機は第１のアンテナによって前記第１の送信信号を送信し、前記第２の送信機は前記第２のアンテナによって前記第２の送信信号を送信する請求項３０記載の装置。
【請求項３２】  前記第１の周波数は前記第２の周波数に等しい請求項３０記載の装置。
【請求項３３】  前記第１の周波数は前記第２の周波数よりも大きい請求項３１記載の装置。
【請求項３４】  前記第１の送信機はアンテナによって前記第１の送信信号を送信し、前記第２の送信機は前記アンテナによって前記第２の送信信号を送信する請求項３０記載の装置。
【請求項３５】  前記シャッフル装置は予め定められた数のシンボルのセットを周期的に回転することによりシャッフルを行う請求項１１記載の装置。
【請求項３６】  前記予め定められた数は４である請求項３５記載の装置。
【請求項３７】  前記シャッフル装置は前記４つのシンボルのセットを２シンボルにより回転する請求項３６記載の装置。
【請求項３８】  前記シャッフル装置は予め定められた数のシンボルのセットをフリップすることによりシャッフルを行う請求項１１記載の装置。
【請求項３９】  前記予め定められた数は４である請求項３８記載の装置。
【請求項４０】  受信された信号の第１の部分を受信し、それを復調して第１の復調された信号を生成する第１の復調サブシステムと、
前記第１の復調された信号を第１のデインターリーブフォーマットにしたがってデインターリーブし、第１のデインターリーブされた信号を生成する第１のデインターリーバと、
受信された信号の第２の部分を受信し、それを復調して第２の復調された信号を生成する第２の復調サブシステムと、
前記第２の復調された信号を第２のデインターリーブフォーマットにしたがってデインターリーブし、第２のデインターリーブされた信号を発生する第２のデインターリーバと、
前記第２の復調サブシステムと前記第２のデインターリーバとの間に接続されて動作し、前記第２の復調された信号を受信し、それのシャッフルを復元し、前記第２のデインターリーバにより使用されるシャッフルから復元された信号を生成するデシャッフル装置とを具備している情報信号受信用装置。
【請求項４１】  前記第１のデインターリーブされた信号と第２のデインターリーブされた信号とを受信し、それらを結合して、多重化された信号を発生するマルチプレクサをさらに具備している請求項４１記載の装置。
【請求項４２】  前記マルチプレクサは、前記第１のデインターリーブされた信号と前記第２のデインターリーブされた信号中で受信されたシンボルを交替することにより前記多重化された信号中に含まれるシンボル流を発生し、ここで、前記デマルチプレクスされた信号の全ての奇数のシンボルは前記第１のデインターリーブされた信号から抽出され、全ての偶数のシンボルは前記第２のデインターリーブされた信号から抽出される請求項４１記載の装置。
【請求項４３】  前記デマルチプレクスされた信号を受信し、予め定められた順方向エラー補正フォーマットにしたがって前記デマルチプレクスされた信号をデコードし、前記デマルチプレクスされた信号から情報信号を抽出する順方向エラー補正デコーダをさらに具備している請求項４１記載の装置。
【請求項４４】  前記順方向エラー補正デコーダはターボデコーダである請求項４３記載の装置。
【請求項４５】  前記順方向エラー補正デコーダはトレリスデコーダである請求項４３記載の装置。
【請求項４６】  前記順方向エラー補正デコーダはソフト決定デコーダである請求項４３記載の装置。
【請求項４７】  前記順方向エラー補正デコーダはブロックデコーダである請求項４３記載の装置。
【請求項４８】  前記第１のデインターリーバと前記第２のデインターリーバはブロックデインターリーバである請求項４１記載の装置。
【請求項４９】  前記第１のデインターリーバと前記第２のデインターリーバはビット反転デインターリーバである請求項４１記載の装置。
【請求項５０】  前記第１のデインターリーバはブロックデインターリーバであり、前記第２のデインターリーバはビット反転デインターリーバである請求項４１記載の装置。
【請求項５１】  前記第１のデインターリーブフォーマットは前記第２のデインターリーブフォーマットと同じである請求項４１記載の装置。
【請求項５２】  受信された信号の第１の部分を受信し、それを復調して第１の復調された信号を生成する第１の復調サブシステムと、
前記第１の復調された信号を第１のデインターリーブフォーマットにしたがってデインターリーブして、第１のデインターリーブされた信号を生成する第１のデインターリーバと、
受信された信号の第２の部分を受信し、それを復調して第２の復調された信号を生成する第２の復調サブシステムと、
前記第２の復調された信号を第２のデインターリーブフォーマットにしたがってデインターリーブし、第２のデインターリーブされた信号を発生する第２のデインターリーバとを具備し、
前記第２のデインターリーバは前記デインターリーブを実行する前に、前記第２の復調された信号をシャッフルから復元するデシャッフル装置をさらに具備している情報信号受信用装置。
【請求項５３】  前記デシャッフル装置は予め定められた数のシンボルのセットを周期的に回転することによりシャッフルの復元を実行する請求項４０記載の装置。
【請求項５４】  前記予め定められた数は４である請求項５３記載の装置。
【請求項５５】  前記デシャッフル装置は前記４つのシンボルのセットを２シンボルにより回転する請求項５４記載の装置。
【請求項５６】  前記デシャッフル装置は予め定められた数のシンボルのセットをフリップすることによりシャッフルの復元を行う請求項４０記載の装置。
【請求項５７】  前記予め定められた数は４である請求項５６記載の装置。
【請求項５８】  前記第１の復調サブシステムは、前記受信された信号の前記第１の部分を受信して、第１の疑似雑音（ＰＮ）シーケンスにしたがって、前記受信された信号の前記第１の部分をデスプレッドし、第１のＰＮデスプレッド信号を生成する第１のＰＮデスプレッダをさらに具備し、
前記第２の復調サブシステムは、前記受信された信号の前記第２の部分を受信して、第２の疑似雑音シーケンスにしたがって、前記受信された信号の前記第２の部分をデスプレッドし、第２のＰＮデスプレッド信号を生成する第２のＰＮデスプレッダをさらに具備している請求項４０記載の装置。
【請求項５９】  前記第１のＰＮデスプレッダと前記第２のＰＮデスプレッダは直角ＰＮデスプレッダである請求項５８記載の装置。
【請求項６０】  前記第１のＰＮデスプレッダと前記第２のＰＮデスプレッダは複素数ＰＮデスプレッダである請求項５８記載の装置。
【請求項６１】  前記ＰＮデスプレッダによるＰＮデスプレッドに使用される時間オフセットを与えるためのサーチャをさらに具備している請求項５８記載の装置。
【請求項６２】  前記第１の復調サブシステムは、前記第１のＰＮデスプレッド信号を受信して、第１のウォルシュ関数にしたがって、前記第１のＰＮデスプレッド信号をデスプレッドし、第１のウォルシュデコードされた信号を生成する第１のウォルシュデスプレッダをさらに具備し、
前記第２の復調サブシステムは、前記第２のＰＮデスプレッド信号を受信して、第２のウォルシュ関数にしたがって、前記第２のＰＮデスプレッド信号をデスプレッドし、第２のウォルシュデコードされた信号を生成する第２のウォルシュデスプレッダをさらに具備している請求項５８記載の装置。
【請求項６３】  前記第１のウォルシュ関数と前記第２のウォルシュ関数は互いに同じである請求項６２記載の装置。
【請求項６４】  前記第１のウォルシュ関数は第２のウォルシュ関数に直交する請求項６２記載の装置。
【請求項６５】  前記第１の復調サブシステムは、受信された信号を増幅して第１の周波数から下方変換し、受信された信号の前記第１の部分を生成する第１の受信機サブシステムをさらに具備し、
前記第２の復調サブシステムは、前記受信された信号を増幅して第２の周波数から下方変換し、受信された信号の前記第２の部分を生成する第２の受信機サブシステムをさらに具備している請求項４０記載の装置。
【請求項６６】  前記第１の周波数は前記第２の周波数に等しい請求項６５記載の装置。
【請求項６７】  前記第１の復調サブシステムと前記第２の復調サブシステムは１つの受信機サブシステムを共用している請求項６６記載の装置。
【請求項６８】  前記第１の周波数は前記第２の周波数よりも大きい請求項６５記載の装置。
【請求項６９】  前記デシャッフル装置は予め定められた数のシンボルのセットを周期的に回転することによりシャッフルの復元を実行する請求項５２記載の装置。
【請求項７０】  前記予め定められた数は４である請求項６９記載の装置。
【請求項７１】  前記デシャッフル装置は前記４つのシンボルのセットを２シンボルにより回転する請求項７０記載の装置。
【請求項７２】  前記デシャッフル装置は予め定められた数のシンボルのセットをフリップすることによりシャッフルの復元を行う請求項５２記載の装置。
【請求項７３】  前記予め定められた数は４である請求項７２記載の装置。
【請求項７４】  送信データシンボルを複数のデータシンボル流へ分配するためのデマルチプレクサと、
前記複数のデータシンボル流をインターリーブするための複数のインターリーバと、
前記複数のインターリーバの少なくとも１つの出力を周期的に回転するためのシャッフル装置とを具備している通信システム用の装置。
【請求項７５】  さらに、前記複数のインターリーバの出力をウォルシュカバーし変調し、前記複数のインターリーバの前記少なくとも１つと、前記データシンボルを少なくとも複数の搬送波周波数にわたって送信するためのシャッフル装置とを除外する送信システムを具備している請求項７４記載の装置。
【請求項７６】  さらに、前記送信データシンボルを発生するために情報データビットを符号化するためのエンコーダを具備している請求項７４記載の装置。
【請求項７７】  送信データシンボルを複数のデータシンボル流へデマルチプレクスし、
複数のインターリーブされたデータ流を発生するために前記複数のデータシンボル流の各ストリームのデータシンボルをインターリーブし、
周期的に回転されたデータシンボルを有する少なくとも１つのデータシンボル流を生成するために、前記複数のインターリーブされたデータ流の少なくとも１つのデータシンボルを周期的に回転するステップを含んでいる通信システムのための方法。
【請求項７８】  さらに、前記複数のインターリーブされたデータ流をウォルシュカバーし、変調し、前記複数のインターリーブされたデータ流の少なくとも１つと、前記データシンボルを少なくとも複数の搬送波周波数によって送信するために周期的に回転されたデータを有する少なくとも１つのデータシンボル流とを除外するステップを含んでいる請求項７７記載の方法。
【請求項７９】  さらに、前記送信データシンボルを発生するために情報データビットを符号化するステップを含んでいる請求項７７記載の装置。
【請求項８０】  少なくとも１つの周期的な回転を解除されたデータシンボル流を発生するために、複数のデータシンボル流の少なくとも１つを周期的な回転を解除するためのデシャッフル装置と、
前記複数のデータシンボル流をデインターリーブし、前記複数のデータシンボル流の少なくとも１つと、複数のデインターリーブされたデータ流を発生するために前記少なくとも１つの周期的な回転を解除されたデータシンボル流を除外する複数のデインターリーバと、
受信データシンボルを生成するために前記複数のデインターリーブされたデータ流を多重化するためのマルチプレクサとを具備している通信システム用の装置。
【請求項８１】  さらに、前記複数のデータシンボル流を発生するために少なくとも複数の搬送波周波数にわたって受信された信号をウォルシュデカバーし復調するための受信システムを具備している請求項８０記載の装置。
【請求項８２】  さらに、受信された情報データを生成するため前記受信データシンボルの復号器を具備している請求項８０記載の装置。
【請求項８３】  少なくとも１つの周期的な回転を解除されたデータシンボル流を発生するために複数のデータシンボル流の少なくとも１つを周期的回転を解除し、
前記複数のデータシンボル流をデインターリーブし、前記複数のデータシンボル流の少なくとも１つと、複数のデインターリーブされたデータ流を発生するため前記少なくとも１つの周期的な回転を解除されたデータシンボル流を除外し、
受信データシンボルを発生するために前記複数のデインターリーブされたデータ流を多重化するステップを含んでいる通信システムのための方法。
【請求項８４】  さらに、前記複数のデータシンボル流を発生するため少なくとも複数の搬送波周波数にわたって受信された信号をウォルシュデカバーし、復調するステップを含んでいる請求項８３記載の方法。
【請求項８５】  さらに、受信された情報データを生成するために前記受信データシンボルを復号するステップを含んでいる請求項８３記載の方法。